(57)【要約】【課題】三重効用吸収式冷凍装置における機器配置を工夫することにより、装置のコンパクト化を図る。【解決手段】三重効用吸収式冷凍装置において、吸収器Ａ、蒸発器Ｅ、凝縮器Ｃおよび低温再生器Ｇ１をひとまとめにして第１の機器配置群Ｘ１を構成する一方、中温再生器Ｇ２および高温再生器Ｇ３をひとまとめにして第２の機器配置群Ｘ２を構成するとともに、前記第１の機器配置群Ｘ１の側方に前記第２の機器配置群Ｘ２を配置するようにして、デッドスペースを低減することにより、装置全体のコンパクト化を図る。【選択図】　　　　図１
2004053085.tif 000002
【特許請求の範囲】
【請求項１】
凝縮器（Ｃ）、蒸発器（Ｅ）、吸収器（Ａ）及び作動温度が異なる３個の再生器（Ｇ３〜Ｇ１）を溶液配管系と冷媒配管系とで作動的に接続して循環サイクルを構成し、前記高温再生器（Ｇ３）で外部熱源（Ｊ）を用いて吸収溶液を加熱沸騰せしめて冷媒蒸気を発生させ、該冷媒蒸気の凝縮熱を用いて前記中温再生器（Ｇ２）で吸収溶液を加熱沸騰せしめて冷媒蒸気を発生させ、該冷媒蒸気の凝縮熱を用いて前記低温再生器（Ｇ１）で吸収溶液を加熱沸騰せしめて冷媒蒸気を発生させるように構成した三重効用吸収式冷凍装置であって、前記吸収器（Ａ）、前記蒸発器（Ｅ）、前記凝縮器（Ｃ）および前記低温再生器（Ｇ１）をひとまとめにして第１の機器配置群（Ｘ１）を構成する一方、前記中温再生器（Ｇ２）および高温再生器（Ｇ３）をひとまとめにして第２の機器配置群（Ｘ２）を構成するとともに、前記第１の機器配置群（Ｘ１）の側方に前記第２の機器配置群（Ｘ２）を配置したことを特徴とする三重効用吸収式冷凍装置。
【請求項２】
前記高温再生器（Ｇ３）として貫流式再生器を採用し且つ該高温再生器（Ｇ３）を、前記第１の機器配置群（Ｘ１）の一端側に隣接して配置するとともに、前記中温再生器（Ｇ２）を、前記高温再生器（Ｇ３）と前記第１の機器配置群（Ｘ１）とに囲まれる空間において前記第１の機器配置群（Ｘ１）に沿うように配置したことを特徴とする前記請求項１記載の三重効用吸収式冷凍装置。
【請求項３】
前記中温再生器（Ｇ２）の下方には、前記各再生器（Ｇ１〜Ｇ３）で生成される濃溶液（Ｌ１〜Ｌ３）のそれぞれがもつ熱を希溶液側へ回収するための３個の溶液熱交換器（Ｈ１〜Ｈ３）を配置したことを特徴とする前記請求項２記載の三重効用吸収式冷凍装置。
【請求項４】
前記第１の機器配置群（Ｘ１）を、所定の容器（１）内に前記吸収器（Ａ）および前記蒸発器（Ｅ）を収納してなる第１のユニット（Ｕ１）と該第１のユニット（Ｕ１）の上方に配置され且つ所定の容器（２）内に前記凝縮器（Ｃ）および低温再生器（Ｇ１）を収納してなる第２のユニット（Ｕ２）とにより構成したことを特徴とする前記請求項１、２および３のいずれか一項記載の三重効用吸収式冷凍装置。
【請求項５】
前記第１のユニット（Ｕ１）を構成する吸収器（Ａ）および蒸発器（Ｅ）を、低圧側および高圧側吸収器（Ａ１），（Ａ２）と低圧側および高圧側蒸発器（Ｅ１），（Ｅ２）とを一つの容器（１）内に配置した二段吸収サイクルとしたことを特徴とする前記請求項４記載の三重効用吸収式冷凍装置。
【請求項６】
前記第１の機器配置群（Ｘ１）と前記第２の機器配置群（Ｘ２）との間には、外部排熱（Ｊ）を吸収溶液で潜熱回収する排熱回収器（Ｋ）を配置したことを特徴とする前記請求項１、２、３、４および５のいずれか一項記載の三重効用吸収式冷凍装置。
【発明の詳細な説明】
【０００１】
【発明の属する技術分野】
本願発明は、作動温度の異なる３個の再生器を備えてなる三重効用吸収式冷凍装置に関するものである。
【０００２】
【従来の技術】
一般に、吸収式冷凍装置は、凝縮器と蒸発器と吸収器と再生器とを基本構成要素とし、且つこれら各構成要素を溶液配管系と冷媒配管系とにより順次作動的に接続して構成される。
【０００３】
かかる吸収式冷凍装置においては、吸収器において生成された希溶液を再生器で加熱濃縮して濃溶液とし、さらにこれを前記吸収器に還流させる一方、前記再生器での希溶液の加熱濃縮によって生成された冷媒蒸気を凝縮器で凝縮させて液冷媒とするとともに、この液冷媒を蒸発器において蒸発させ、ここで発生した冷媒蒸気を前記吸収器において濃溶液に吸収させて希溶液を生成することで、吸収溶液と冷媒の循環サイクルが実現される。
【０００４】
【発明が解決しようとする課題】
ところで、吸収式冷凍装置では、その性能向上を図るには、溶液・冷媒循環系の熱効率を高めることが最も有効であることが知られており、これを具現化する手法として、再生器を複数（例えば、３個）設けて一つの外部熱源の熱を繰り返し再利用することが提案されている。即ち、再生器として、作動温度の異なるものを複数備え、高温で作動する高温側再生器の加熱によって生成される冷媒蒸気を、低温で作動する低温側再生器に導入し、これを該低温側再生器の加熱熱源として利用するものである。
【０００５】
例えば、三重効用吸収式冷凍装置においては、上述のように作動温度が異なる３個の再生器（即ち、高温再生器、中温再生器および低温再生器）を備えているため、単効用あるいは二重効用の場合に比べて再生器の数が多くなる。すると、吸収器、蒸発器、凝縮器および再生器の機器配置を工夫しなければ、吸収式冷凍装置全体が大きくなってしまうおそれがある。
【０００６】
本願発明は、上記の点に鑑みてなされたもので、三重効用吸収式冷凍装置における機器配置を工夫することにより、装置のコンパクト化を図ることを目的としている。
【０００７】
【課題を解決するための手段】
本願発明では、上記課題を解決するための第１の手段として、凝縮器Ｃ、蒸発器Ｅ、吸収器Ａ及び作動温度が異なる３個の再生器Ｇ３〜Ｇ１を溶液配管系と冷媒配管系とで作動的に接続して循環サイクルを構成し、前記高温再生器Ｇ３で外部熱源Ｊを用いて吸収溶液を加熱沸騰せしめて冷媒蒸気を発生させ、該冷媒蒸気の凝縮熱を用いて前記中温再生器Ｇ２で吸収溶液を加熱沸騰せしめて冷媒蒸気を発生させ、該冷媒蒸気の凝縮熱を用いて前記低温再生器Ｇ１で吸収溶液を加熱沸騰せしめて冷媒蒸気を発生させるように構成した三重効用吸収式冷凍装置において、前記吸収器Ａ、前記蒸発器Ｅ、前記凝縮器Ｃおよび前記低温再生器Ｇ１をひとまとめにして第１の機器配置群Ｘ１を構成する一方、前記中温再生器Ｇ２および高温再生器Ｇ３をひとまとめにして第２の機器配置群Ｘ２を構成するとともに、前記第１の機器配置群Ｘ１の側方に前記第２の機器配置群Ｘ２を配置している。
【０００８】
上記のように構成したことにより、吸収式冷凍装置を構成する各種機器（即ち、吸収器Ａ、蒸発器Ｅ、凝縮器Ｃ、低温再生器Ｇ１、中温再生器Ｇ２、高温再生器Ｇ３）が、隣合う二つの機器配置群Ｘ１，Ｘ２にまとめて配置されることとなるため、デッドスペースを低減できることとなり、装置全体のコンパクト化を図ることができる。また、第１の機器配置群Ｘ１の一端側（即ち、背面側）に機器が存在しなくなるため、蒸発器Ｅ、吸収器Ａ、凝縮器Ｃのメンテスペース（例えば、伝熱管の洗浄、交換等を行うスペース）の確保が容易となる。
【０００９】
本願発明では、さらに、上記課題を解決するための第２の手段として、上記第１の手段を備えた三重効用吸収式冷凍装置において、前記高温再生器Ｇ３として貫流式再生器を採用し且つ該高温再生器Ｇ３を、前記第１の機器配置群Ｘ１の一端側に隣接して配置するとともに、前記中温再生器Ｇ２を、前記高温再生器Ｇ３と前記第１の機器配置群Ｘ１とに囲まれる空間において前記第１の機器配置群Ｘ１に沿うように配置することもでき、そのように構成した場合、高温再生器Ｇ３と第１の機器配置群Ｘ１とに囲まれる空間（即ち、デッドスペース）に中温再生器Ｇ２を配置することが可能となる。従って、装置のより一層のコンパクト化を図ることができる。
【００１０】
本願発明では、さらに、上記課題を解決するための第３の手段として、上記第２の手段を備えた三重効用吸収式冷凍装置において、前記中温再生器Ｇ２の下方に、前記各再生器Ｇ１〜Ｇ３で生成される濃溶液Ｌ１〜Ｌ３のそれぞれがもつ熱を吸収溶液側へ回収するための３個の溶液熱交換器Ｈ１〜Ｈ３を配置することもでき、そのように構成した場合、中温再生器Ｇ２の下方に形成されるデッドスペースを利用して溶液熱交換器Ｈ１〜Ｈ３を配置することができることとなり、装置のさらなるコンパクト化を図ることができる。
【００１１】
本願発明では、さらに、上記課題を解決するための第４の手段として、上記第１、第２又は第３の手段を備えた三重効用吸収式冷凍装置において、前記第１の機器配置群Ｘ１を、所定の容器１内に前記吸収器Ａおよび前記蒸発器Ｅを収納してなる第１のユニットＵ１と該第１のユニットＵ１の上方に配置され且つ所定の容器２内に前記凝縮器Ｃおよび低温再生器Ｇ１を収納してなる第２のユニットＵ２とにより構成することもでき、そのように構成した場合、圧力がほぼ等しい吸収器Ａおよび蒸発器Ｅと低温再生器Ｇ１および凝縮器Ｃとをそれぞれ容器１，２内に収納してユニット化できることとなり、第１の機器配置群Ｘ１のコンパクト化に寄与する。
【００１２】
本願発明では、さらに、上記課題を解決するための第５の手段として、上記第４の手段を備えた三重効用吸収式冷凍装置において、前記第１のユニットＵ１を構成する吸収器Ａおよび蒸発器Ｅを、低圧側および高圧側吸収器Ａ１，Ａ２と低圧側および高圧側蒸発器Ｅ１，Ｅ２とを一つの容器１内に配置した二段吸収サイクルとすることもでき、そのように構成した場合、冷凍サイクルの高効率化を図ることができる。
【００１３】
本願発明では、さらに、上記課題を解決するための第６の手段として、上記第、１、第２、第３、第４又は第５の手段を備えた三重効用吸収式冷凍装置において、前記第１の機器配置群Ｘ１と前記第２の機器配置群Ｘ２との間に、外部排熱Ｊを吸収溶液で潜熱回収する排熱回収器Ｋを配置することもでき、そのように構成した場合、排熱回収器Ｋが凝縮器Ｃおよび低温再生器Ｇ１の近くに配置されることとなるため、蒸気圧損を小さく抑えることができ、排熱回収率を向上できる。
【００１４】
【発明の実施の形態】
以下、添付の図面を参照して、本願発明を幾つかの好適な実施の形態について説明する。
【００１５】
第１の実施の形態
図１ないし図３には、本願発明の第１の実施の形態にかかる三重効用吸収式冷凍装置が示されている。
【００１６】
この三重効用吸収式冷凍装置は、水を冷媒とし、臭化リチウムを吸収液とする吸収式冷凍装置であって、各１個の凝縮器Ｃと吸収器Ａと蒸発器Ｅ、及び各三個の溶液熱交換器Ｈ３，Ｈ２，Ｈ１と再生器Ｇ３，Ｇ２，Ｇ１を、溶液配管系と冷媒配管系で作動的に接続して冷媒と吸収溶液の循環サイクルを構成している。
【００１７】
前記蒸発器Ｅは、被冷却液Ｗｅを通す熱交換部７を備えて構成され、前記吸収器Ａは、該吸収器Ａ内で発生する吸収熱を除去するための冷却水Ｗａを通す熱交換部８を備えて構成され、前記凝縮器Ｃは、冷却水Ｗａを通す熱交換部１１を備えて構成されている。
【００１８】
前記各再生器Ｇ３，Ｇ２，Ｇ１は、共に、冷媒を含む吸収溶液を加熱濃縮して順次高濃度の濃溶液とするためのものであって、これら相互間においてはその作動温度が異なっており、最も高温で作動する高温再生器Ｇ３は後述する貫流式再生器とされており、中温で作動する中温再生器Ｇ２は溶液加熱部９を備えて構成され、さらに最も低温で作動する低温再生器Ｇ１は溶液加熱部１０を備えて構成される。なお、中温再生器Ｇ２および低温再生器Ｇ１の溶液加熱部９，１０は、液ーガス熱交とされている。
【００１９】
前記高温再生器Ｇ３は、図３に示すように、環状の上下ヘッダー１２，１３間に仮想円筒状に配置された多数の導管１４，１４・・が接続され、これらの導管１４，１４・・内にガスバーナ１５の燃焼熱が供給されるように構成された多管貫流式再生器とされている。符号１６は空気圧送用のブロア、１７は上部ヘッダー１２に接続された気液分離器、１８は排ガス出口である。
【００２０】
この高温再生器Ｇ３においては、下部ヘッダー１３に導入された希溶液Ｌａが導管１４，１４・・においてガスバーナ１５の燃焼熱により加熱沸騰され、気液混合状態で上部ヘッダー１２から気液分離器１７に送られ、ここで濃溶液Ｌ３と冷媒蒸気Ｒ３に分離され、濃溶液Ｌ３の一部は下部ヘッダー１３に還流されるが、残りの濃溶液Ｌ３は、後述するように、低温再生器Ｇ１から流出する低温濃溶液Ｌ１と合流した後、吸収器Ａに送られる。一方、冷媒蒸気Ｒ３は、中温再生器Ｇ２の溶液加熱部９に送られる。
【００２１】
前記各溶液熱交換器Ｈ１，Ｈ２，Ｈ３は、前記各再生器Ｇ１，Ｇ２，Ｇ３で生成される低温濃溶液Ｌ１、中温濃溶液Ｌ２及び高温濃溶液Ｌ３のそれぞれがもつ熱を希溶液Ｌａ側へ回収するためのものであって、一般的にはシェルアンドチューブ型熱交換器であるが、他の形式、例えばプレート型熱交換器で構成されてもよい。
【００２２】
これらの各機器は、溶液配管系及び冷媒配管系によって以下のように作動的に接続されている。
【００２３】
即ち、前記凝縮器Ｃにおいて生成される液冷媒Ｒｃは前記蒸発器Ｅ側に供給され、この蒸発器Ｅに供給された液冷媒Ｒｃは、前記熱交換部７に散布される。前記熱交換部８に流入する冷却水Ｗａは、前記熱交換部８において吸収熱を吸熱し、熱交換部１１に流入する冷却水Ｗａは、低温再生器Ｇ１から移送された冷媒蒸気Ｒ１を冷却凝縮させる。前記熱交換部７に流入する被冷却液（水）Ｗｅは、前記冷媒Ｒｅの蒸発熱によって冷却される。さらに、前記熱交換部７への散布により前記蒸発器Ｅにおいて発生する気化冷媒Ｒｅはそのまま前記吸収器Ａ側に移送される。
【００２４】
前記吸収器Ａの底部には、溶液ポンプＬＰを備えた希溶液配管２１が接続されており、該希溶液配管２１は、低温溶液熱交換器Ｈ１の被加熱側を通過後に、第１分岐配管２１Ａと第２分岐配管２１Ｂとの二つの経路に分岐されている。該第１分岐配管２１Ａは、高温溶液熱交換器Ｈ３の被加熱側を通って高温再生器Ｇ３に接続される一方、前記第２分岐配管２１Ｂは、中温溶液熱交換器Ｈ２の被加熱側を通って中温再生器Ｇ２に接続されている。また、前記高温再生器Ｇ３から流出する高温濃溶液Ｌ３を導く高温溶液配管２７は、低温再生器Ｇ１から流出する低温濃溶液Ｌ１を導く低温溶液配管２５に合流接続されており、該低温溶液配管２５は、低温溶液熱交換器Ｈ１の加熱側を通って吸収器Ａに接続されている。
【００２５】
前記中温再生器Ｇ２に接続されて該中温再生器Ｇ２から流出する中温濃溶液Ｌ２を導く中温溶液配管２６は、前記中温溶液熱交換器Ｈ２の加熱側を通って前記低温再生器Ｇ１に接続されている。
【００２６】
前記高温再生器Ｇ３における気液分離器１７は、高温蒸気配管２４を介して前記中温再生器Ｇ２における前記溶液加熱部９の入口側に接続されている。
【００２７】
前記中温再生器Ｇ２の気室側は、中温蒸気配管２３を介して前記低温再生器Ｇ１における前記溶液加熱部１０の入口側に接続されている。
【００２８】
前記低温再生器Ｇ１で発生した冷媒蒸気Ｒ１は低温蒸気配管２２を介して前記凝縮器Ｃへ移送される。
【００２９】
前記低温再生器Ｇ１における前記溶液加熱部１０の出口側は冷媒ドレン配管２８を介して前記凝縮器Ｃに接続されている。
【００３０】
前記中温再生器Ｇ２における前記溶液加熱部９の出口側に接続された冷媒ドレン配管２９は、前記中温蒸気配管２３に合流している。
【００３１】
この三重効用吸収式冷凍装置は、以上のような機器配置と経路構成とを採ることで、冷媒と吸収溶液の循環サイクルを構成している。
【００３２】
続いて、この三重効用吸収式冷凍装置の作動サイクルを具体的に説明する。
【００３３】
前記吸収器Ａから溶液ポンプＬＰによって送給される希溶液Ｌａは、低温溶液熱交換器Ｈ１の被加熱側を通過後に二つの経路に分岐され、一方は、高温溶液熱交換器Ｈ３の被加熱側を通って高温再生器Ｇ３に流入し、他方は、中温溶液熱交換器Ｈ２の被加熱側を通って中温再生器Ｇ２に流入する。
【００３４】
前記高温再生器Ｇ３においては、ガスバーナ１５の燃焼熱による加熱濃縮作用を受け、高温濃溶液Ｌ３となって流出し、前記高温溶液熱交換器Ｈ３の加熱側を通る。この際、前記高温溶液熱交換器Ｈ３において、被加熱側の希溶液Ｌａと加熱側の高温濃溶液Ｌ３との間で熱交換が行われ（熱回収）、該希溶液Ｌａは予熱された状態で前記高温再生器Ｇ３に流入する。
【００３５】
一方、前記中温再生器Ｇ２に供給された希溶液Ｌａは、前記高温再生器Ｇ３側から溶液加熱部９に流入する冷媒蒸気Ｒ３によって加熱濃縮され、中温濃溶液Ｌ２となって流出し、前記中温溶液熱交換器Ｈ２の加熱側を通って低温再生器Ｇ１に流入する。この際、前記中温溶液熱交換器Ｈ２において、被加熱側の希溶液Ｌａと加熱側の中温濃溶液Ｌ２との間で熱交換が行われ（熱回収）、該希溶液Ｌａは予熱された状態で前記中温再生器Ｇ２に送られる。
【００３６】
さらに、前記低温再生器Ｇ１に流入した中温濃溶液Ｌ２は、該低温再生器Ｇ１において前記中温再生器Ｇ２側から溶液加熱部１０に流入する冷媒蒸気Ｒ２によって加熱濃縮され、低温濃溶液Ｌ１となって流出する。
【００３７】
そして、この低温再生器Ｇ１から流出する低温濃溶液Ｌ１は、前記高温再生器Ｇ３から流出する高温濃溶液Ｌ３と合流して濃溶液Ｌｍとなって、前記低温溶液熱交換器Ｈ１の加熱側を通って吸収器Ａに流入する。この際、前記低温溶液熱交換器Ｈ１において、被加熱側の希溶液Ｌａと加熱側の濃溶液Ｌｍとの間で熱交換が行われ（熱回収）、該希溶液Ｌａは予熱された状態で前記中温溶液熱交換器Ｈ２および高温溶液熱交換器Ｈ３に送られる。
【００３８】
ところで、本実施の形態においては、図１に示すように、吸収器Ａおよび蒸発器Ｅが所定の一つの容器１内に収納されて第１のユニットＵ１を構成するとともに、凝縮器Ｃおよび低温再生器Ｇ１が所定の一つの容器２に収納されて第２のユニットＵ２を構成することとなっている。また、気液分離器１７を含む高温再生器Ｇ３および中温再生器Ｇ２も、それぞれ所定の一つの容器３，４に収納されている。
【００３９】
そして、前記第１のユニットＵ１の上に前記第２のユニットＵ２を載置した状態で第１の機器配置群Ｘ１（即ち、吸収器Ａ、蒸発器Ｅ、凝縮器Ｃおよび低温再生器Ｇ１がひとまとめにされたもの）が構成される一方、前記高温再生器Ｃ３および前記中温再生器Ｇ２をひとまとめにした第２の機器配置群Ｘ２が構成されることとなっている。前記第１の機器配置群Ｘ１の側方には、第２の機器配置群Ｘ２が配置されることとなっているが、本実施の形態の場合、前記高温再生器Ｇ３が横置き状態で配置され、該高温再生器Ｇ３と前記第１の機器配置群Ｘ１との間における上部に、中温再生器Ｇ２が横置き状態で配置されている。なお、溶液熱交換器Ｈ１〜Ｈ３は、小型の機器なので、どこにでも配置できるが、例えば、前記中温再生器Ｇ２の下方に配置してもよい（図示省略）。
【００４０】
上記のように構成したことにより、吸収式冷凍装置を構成する各種機器（即ち、吸収器Ａ、蒸発器Ｅ、凝縮器Ｃ、低温再生器Ｇ１、中温再生器Ｇ２、高温再生器Ｇ３）が、隣合う二つの機器配置群Ｘ１，Ｘ２にまとめて配置されることとなるため、デッドスペースを低減できることとなり、装置全体のコンパクト化を図ることができる。しかも、圧力がほぼ等しい吸収器Ａおよび蒸発器Ｅと低温再生器Ｇ１および凝縮器Ｃとをそれぞれ容器１，２内に収納してユニット化しているので、第１の機器配置群Ｘ１のコンパクト化に大いに寄与する。また、第１の機器配置群Ｘ１の一端側（即ち、背面側）に機器が存在しなくなるため、蒸発器Ｅ、吸収器Ａ、凝縮器Ｃのメンテスペース（例えば、伝熱管の洗浄、交換等を行うスペース）の確保が容易となる。
【００４１】
第２の実施の形態
図４には、本願発明の第２の実施の形態にかかる三重効用吸収式冷凍装置が示されている。
【００４２】
この場合、高温再生器Ｇ３は、第１の機器配置群Ｘ１の一端側に隣接して縦置き配置されるとともに、中温再生器Ｇ２は、前記高温再生器Ｇ３と前記第１の機器配置群Ｘ１とに囲まれる空間（即ち、前方側）の上部において前記第１の機器配置群Ｘ１に沿うように配置されている。この場合にも、溶液熱交換器Ｈ１〜Ｈ３は省略されている。このようにすると、縦置き配置された高温再生器Ｇ３と第１の機器配置群Ｘ１とに囲まれる空間（即ち、デッドスペース）に中温再生器Ｇ２を配置することが可能となり、装置のより一層のコンパクト化を図ることができる。なお、中温再生器Ｇ２の配置位置は、高温再生器Ｇ３と第１の機器配置群Ｘ１とに囲まれる空間における適宜位置としてもよい。
【００４３】
その他の構成および作用効果は、第１の実施の形態におけると同様なので説明を省略する。
【００４４】
第３の実施の形態
図５には、本願発明の第３の実施の形態にかかる三重効用吸収式冷凍装置が示されている。
【００４５】
この場合、高温再生器Ｇ３は、第１の機器配置群Ｘ１の一端側に隣接して縦置き配置されるとともに、中温再生器Ｇ２は、前記高温再生器Ｇ３の上方であって該高温再生器Ｇ３の上面の一部（即ち、第１の機器配置群Ｘ１の他端側よりの上面の一部）を覆う位置から前記第１の機器配置群Ｘ１の他端側（即ち、前方側）に向かって前記第１の機器配置群Ｘ１に沿うように配置されている。本実施の形態においては、気液分離器１７を高温再生器Ｇ３の容器３と分離しているので、容器３の高さを低くすることが可能なところから、高温再生器Ｇ３の上方の一部に中温再生器Ｇ２の一部が重なる配置を取ることができるのである。なお、気液分離器１７は、比較的小さい（例えば、直径２００ｍｍ×高さ６００ｍｍ）機器なので、配置の自由度が比較的大きいところから、例えば、図示のように、高温再生器Ｇ３の上方であって中温再生器Ｇ２の背面側に配置することができる。また、本実施の形態の場合、ガスバーナ１５の取付方向は、矢印Ｐで示すように、高温再生器Ｇ３の上方側となる。この場合にも、溶液熱交換器Ｈ１〜Ｈ３は省略されている。このようにすると、縦置き配置された高温再生器Ｇ３の上方から第１の機器配置群Ｘ１の側方に形成されるデッドスペースに中温再生器Ｇ２を配置することが可能となり、装置のより一層のコンパクト化を図ることができる。
【００４６】
その他の構成および作用効果は、第１の実施の形態におけると同様なので説明を省略する。
【００４７】
第４の実施の形態
図６には、本願発明の第４の実施の形態にかかる三重効用吸収式冷凍装置が示されている。
【００４８】
この場合、高温再生器Ｇ３は、直方体形状の容器３を備えて構成されており、第１の機器配置群Ｘ１の一端側に隣接して縦置き配置されている。一方、中温再生器Ｇ２は、前記高温再生器Ｇ３の上方であって該高温再生器Ｇ３の上面の全部を覆う位置から前記第１の機器配置群Ｘ１の他端側（即ち、前方側）に向かって前記第１の機器配置群Ｘ１に沿うように配置されている。本実施の形態においては、気液分離器１７を高温再生器Ｇ３の容器３と分離しているので、容器３の高さを低くすることが可能なところから、高温再生器Ｇ３の上面全部に中温再生器Ｇ２の一部が重なる配置を取ることができるのである。なお、気液分離器１７は、比較的小さい（例えば、直径２００ｍｍ×高さ６００ｍｍ）機器なので、配置の自由度が比較的大きいところから、例えば、図示のように、中温再生器Ｇ２の背面側に配置することができる。また、本実施の形態の場合、ガスバーナ１５の取付方向は、矢印Ｑで示すように、高温再生器Ｇ３の背面側となる。この場合にも、溶液熱交換器Ｈ１〜Ｈ３は省略されている。このようにすると、縦置き配置された高温再生器Ｇ３の上方から第１の機器配置群Ｘ１の側方に形成されるデッドスペースに中温再生器Ｇ２を配置することが可能となり、装置のより一層のコンパクト化を図ることができる。
【００４９】
その他の構成および作用効果は、第１の実施の形態におけると同様なので説明を省略する。
【００５０】
第５の実施の形態
図７および図８には、本願発明の第５の実施の形態にかかる三重効用吸収式冷凍装置が示されている。
【００５１】
この場合、高温再生器Ｇ３は、第１の機器配置群Ｘ１の一端側に隣接して縦置き配置されるとともに、中温再生器Ｇ２は、前記高温再生器Ｇ３と前記第１の機器配置群Ｘ１とに囲まれる空間（即ち、前方側）の上部において前記第１の機器配置群Ｘ１に沿うように配置されている。また、第１のユニットＵ１を構成する吸収器Ａおよび蒸発器Ｅは、低圧側および高圧側吸収器Ａ１，Ａ２と低圧側および高圧側蒸発器Ｅ１，Ｅ２とを備えており、一つの容器１内において低圧側を上側に高圧側を下側に配置した二段吸収サイクルとされている。符号ＲＰは冷媒循環用の冷媒ポンプである。なお、低圧側を下側に高圧側を上側に配置する場合もある。このようにすると、冷凍サイクルの高効率化を図ることができる。さらに、第１の機器配置群Ｘ１と第２の機器配置群Ｘ２との間（具体的には、中温再生器Ｇ２と第２のユニットＵ２との間）には、外部排熱Ｊ（例えば、自家発電用タービンの排熱）を吸収溶液で潜熱回収する排熱回収器Ｋが配置されており、該排熱回収器Ｋにおいて発生した冷媒蒸気Ｒｋおよび濃溶液Ｌｋは、凝縮器Ｃおよび低温再生器Ｇ１にそれぞれ導かれることとなっている。このようにすると、排熱回収器Ｋが凝縮器Ｃおよび低温再生器Ｇ１の近くに配置されることとなるため、蒸気圧損を小さく抑えることができ、排熱回収率を向上できる。なお、排熱回収器Ｋからの冷媒蒸気Ｒｋを低温再生器Ｇ１に導く場合もある。さらにまた、中温再生器Ｇ２の下方には、３個の溶液熱交換器Ｈ１〜Ｈ３が配置されている。このようにすると、中温再生器Ｇ２の下方に形成されるデッドスペースを利用して溶液熱交換器Ｈ１〜Ｈ３を配置することができることとなり、装置のさらなるコンパクト化を図ることができる。
【００５２】
その他の構成および作用効果は、第１の実施の形態におけると同様なので説明を省略する。
【００５３】
上記各実施の形態においては、吸収器からの希溶液の一部が高温再生器に供給されるタイプの三重効用吸収式冷凍装置について説明したが、本願発明は、その他のタイプ（例えば、シリーズサイクルおよびパラレルサイクル等）の三重効用吸収式冷凍装置にも適用可能なことは勿論である。
【００５４】
【発明の効果】
本願発明の第１の手段によれば、凝縮器Ｃ、蒸発器Ｅ、吸収器Ａ及び作動温度が異なる３個の再生器Ｇ３〜Ｇ１を溶液配管系と冷媒配管系とで作動的に接続して循環サイクルを構成し、前記高温再生器Ｇ３で外部熱源Ｊを用いて吸収溶液を加熱沸騰せしめて冷媒蒸気を発生させ、該冷媒蒸気の凝縮熱を用いて前記中温再生器Ｇ２で吸収溶液を加熱沸騰せしめて冷媒蒸気を発生させ、該冷媒蒸気の凝縮熱を用いて前記低温再生器Ｇ１で吸収溶液を加熱沸騰せしめて冷媒蒸気を発生させるように構成した三重効用吸収式冷凍装置において、前記吸収器Ａ、前記蒸発器Ｅ、前記凝縮器Ｃおよび前記低温再生器Ｇ１をひとまとめにして第１の機器配置群Ｘ１を構成する一方、前記中温再生器Ｇ２および高温再生器Ｇ３をひとまとめにして第２の機器配置群Ｘ２を構成するとともに、前記第１の機器配置群Ｘ１の側方に前記第２の機器配置群Ｘ２を配置するようにしているので、デッドスペースを低減できることとなり、装置全体のコンパクト化を図ることができるという効果がある。また、第１の機器配置群Ｘ１の一端側（即ち、背面側）に機器が存在しなくなるため、蒸発器Ｅ、吸収器Ａ、凝縮器Ｃのメンテスペース（例えば、伝熱管の洗浄、交換等を行うスペース）の確保が容易となるという効果もある。
【００５５】
本願発明の第２の手段におけるように、上記第１の手段を備えた三重効用吸収式冷凍装置において、前記高温再生器Ｇ３として貫流式再生器を採用し且つ該高温再生器Ｇ３を、前記第１の機器配置群Ｘ１の一端側に隣接して配置するとともに、前記中温再生器Ｇ２を、前記高温再生器Ｇ３と前記第１の機器配置群Ｘ１とに囲まれる空間において前記第１の機器配置群Ｘ１に沿うように配置することもでき、そのように構成した場合、高温再生器Ｇ３と第１の機器配置群Ｘ１とに囲まれる空間（即ち、デッドスペース）に中温再生器Ｇ２を配置することが可能となる。従って、装置のより一層のコンパクト化を図ることができる。
【００５６】
本願発明の第３の手段におけるように、上記第２の手段を備えた三重効用吸収式冷凍装置において、前記中温再生器Ｇ２の下方に、前記各再生器Ｇ１〜Ｇ３で生成される濃溶液Ｌ１〜Ｌ３のそれぞれがもつ熱を吸収溶液側へ回収するための３個の溶液熱交換器Ｈ１〜Ｈ３を配置することもでき、そのように構成した場合、中温再生器Ｇ２の下方に形成されるデッドスペースを利用して溶液熱交換器Ｈ１〜Ｈ３を配置することができることとなり、装置のさらなるコンパクト化を図ることができる。
【００５７】
本願発明の第４の手段におけるように、上記第１、第２又は第３の手段を備えた三重効用吸収式冷凍装置において、前記第１の機器配置群Ｘ１を、所定の容器１内に前記吸収器Ａおよび前記蒸発器Ｅを収納してなる第１のユニットＵ１と該第１のユニットＵ１の上方に配置され且つ所定の容器２内に前記凝縮器Ｃおよび低温再生器Ｇ１を収納してなる第２のユニットＵ２とにより構成することもでき、そのように構成した場合、圧力がほぼ等しい吸収器Ａおよび蒸発器Ｅと低温再生器Ｇ１および凝縮器Ｃとをそれぞれ容器１，２内に収納してユニット化できることとなり、第１の機器配置群Ｘ１のコンパクト化に寄与する。
【００５８】
本願発明の第５の手段におけるように、上記第４の手段を備えた三重効用吸収式冷凍装置において、前記第１のユニットＵ１を構成する吸収器Ａおよび蒸発器Ｅを、低圧側および高圧側吸収器Ａ１，Ａ２と低圧側および高圧側蒸発器Ｅ１，Ｅ２とを一つの容器１内に配置した二段吸収サイクルとすることもでき、そのように構成した場合、冷凍サイクルの高効率化を図ることができる。
【００５９】
本願発明の第６の手段におけるように、上記第、１、第２、第３、第４又は第５の手段を備えた三重効用吸収式冷凍装置において、前記第１の機器配置群Ｘ１と前記第２の機器配置群Ｘ２との間に、外部排熱Ｊを吸収溶液で潜熱回収する排熱回収器Ｋを配置することもでき、そのように構成した場合、排熱回収器Ｋが凝縮器Ｃおよび低温再生器Ｇ１の近くに配置されることとなるため、蒸気圧損を小さく抑えることができ、排熱回収率を向上できる。
【図面の簡単な説明】
【図１】本願発明の第１の実施の形態にかかる三重効用吸収式冷凍装置の機器配置を示す斜視図である。
【図２】本願発明の第１の実施の形態にかかる三重効用吸収式冷凍装置の作動サイクル図である。
【図３】本願発明の第１の実施の形態にかかる三重効用吸収式冷凍装置における高温再生器の拡大断面図である。
【図４】本願発明の第２の実施の形態にかかる三重効用吸収式冷凍装置の機器配置を示す斜視図である。
【図５】本願発明の第３の実施の形態にかかる三重効用吸収式冷凍装置の機器配置を示す斜視図である。
【図６】本願発明の第４の実施の形態にかかる三重効用吸収式冷凍装置の機器配置を示す斜視図である。
【図７】本願発明の第５の実施の形態にかかる三重効用吸収式冷凍装置の機器配置を示す斜視図である。
【図８】本願発明の第５の実施の形態にかかる三重効用吸収式冷凍装置の作動サイクル図である。
【符号の説明】
１，２，３，４は容器、Ａは吸収器、Ａ１は低圧側吸収器、Ａ２は高圧側吸収器、Ｃは凝縮器、Ｅは蒸発器、Ｅ１は低圧側蒸発器、Ｅ２は高圧側蒸発器、Ｇ１〜Ｇ３は再生器、Ｈ１〜Ｈ３は溶液熱交換器、Ｊは外部排熱、Ｋは排熱回収器、Ｌ１〜Ｌ３，Ｌｋは濃溶液、Ｌａは希溶液、ＬＰは溶液ポンプ、Ｒｋは冷媒蒸気、Ｕ１は第１のユニット、Ｕ２は第２のユニット、Ｘ１は第１の機器配置群、Ｘ２は第２の機器配置群。
【図１】
2004053085.tif 000003
【図２】
2004053085.tif 000004
【図３】
2004053085.tif 000005
【図４】
2004053085.tif 000006
【図５】
2004053085.tif 000007
【図６】
2004053085.tif 000008
【図７】
2004053085.tif 000009
【図８】
2004053085.tif 000010